(57)【要約】【課題】集塵装置を確実に装着させ、集塵性能を確保できる電気掃除機を提供する。【解決手段】掃除機本体に着脱自在に装着される集塵装置３は、回動自在のハンドル１７を倒立位置に付勢するバネと、ハンドル１７に設けられ、集塵装置３が掃除機本体に装着されハンドル１７を収納した状態で掃除機本体に設けた凹部と嵌合する第１の爪１８と、ハンドル１７を倒立させた状態では第１の爪１８に当接して倒立状態を保持する固定体５０を備え、集塵装置３を掃除機本体に装着するとき、固定体５０は掃除機本体の一部に当接して集塵装置３内に収納されてハンドル１７の回動を可能にし、固定体５０は第４のバネ５１により集塵装置３から突出するように付勢されるもので、ハンドル１７を倒立させた状態で、空気流入、流出口を掃除機本体の対向する通路に密着させたときに、ハンドル１７の倒立状態が解除されて回動させることができる。【選択図】図８
2014064737.tif 000002
【特許請求の範囲】
【請求項１】
掃除機本体に着脱自在に装着されると共に空気流入口と空気流出口を有する集塵装置を備え、前記集塵装置は、天面に回動自在に軸支されたハンドルと、底面に開口部を有するダストボックスと、前記ダストボックスにヒンジで回動自在に支持されると共に前記開口部を開閉する蓋と、前記ハンドルの後方に設けられ前記蓋を開錠させる押し釦と、前記ハンドルを倒立位置に付勢する第１の付勢手段と、前記ハンドルの回動軸より掃除機本体側に設けられ、前記集塵装置が前記掃除機本体に装着され前記ハンドルを収納した状態で前記掃除機本体に設けた係合部と嵌合する係止部と、前記ハンドルを倒立させた状態では前記係止部に当接して倒立状態を保持するハンドル倒立保持手段とを備え、前記集塵装置を前記掃除機本体の装着位置に装着するとき、前記ハンドル倒立保持手段は前記掃除機本体の一部に当接することによって前記集塵装置内に収納されて前記ハンドルの回動を可能にし、前記ハンドル倒立保持手段は第２の付勢手段により前記集塵装置から突出して前記ハンドルの前記係止部に当接するように付勢されることを特徴とした電気掃除機。
【請求項２】
集塵装置の天面前方に、第３の付勢手段でハンドルを保持固定する尾錠を設け、前記尾錠を開錠することによって前記ハンドルを倒立させることを特徴とした請求項１に記載の電気掃除機。
【請求項３】
ハンドルの端部に掃除機本体と保持固定させる爪を設け、前記ハンドルを傾けた状態で前記掃除機本体に装着させた時、前記ハンドルが収納状態から倒立状態に回動して、前記爪が前記掃除機本体の所定の係合部以外で嵌合させないことを特徴とする請求項１又は２に記載の電気掃除機。
【請求項４】
ハンドルの端部に設けた係止部が嵌合する係合部を、掃除機本体運搬用の本体ハンドルに設けたことを特徴とする請求項１〜３のいずれか１項に記載の電気掃除機。
【請求項５】
集塵装置の空気流入口と空気流出口を掃除機本体の対向する通路に密着接続する状態としたとき、集塵装置が略４５°傾いて前記掃除機本体に装着されることを特徴とする請求項１〜４のいずれか１項に記載の電気掃除機。
【発明の詳細な説明】
【技術分野】
【０００１】
本発明は、電気掃除機に関するもので、特に、電気掃除機の集塵装置の掃除機本体への装着に関するものである。
【背景技術】
【０００２】
近年のサイクロン式の電気掃除機の集塵装置は、天面に軸支持された端部に掃除機本体の係合部と嵌合する係止部となる固定爪を備えたハンドルが設けられ、集塵装置を垂直に立てた状態で掃除機本体へ装着させた後、前記ハンドルを倒立状態から回動させて、前記固定爪を掃除機本体の係合部と嵌合させることにより集塵装置の保持固定を行う構成としていた。これにより、集塵装置の汚れを含んだ空気流を受け入れる入口と掃除機本体の前記集塵装置の空気流の入口に対向する通路と密着され、集塵装置の空気流の出口と掃除機本体の吸引風発生装置につながる通路とが密着されて、集塵性能を発揮することができるものである。また、集塵された塵埃を捨てる際は、片手で前記ハンドルを持った状態で、もう片方の手で底蓋を開放する必要があった（例えば、特許文献１参照）。
【先行技術文献】
【特許文献】
【０００３】
【特許文献１】特開２００７−２３６９５０号公報
【発明の概要】
【発明が解決しようとする課題】
【０００４】
集塵性能を発揮するために集塵装置の空気流入口と出口を掃除機本体の対向する通路と密着させて掃除機本体へ装着させる必要があるが、上記従来の電気掃除機の構成では、集塵装置を確実に装着しない状態でも運転使用でき、集塵性能を発揮できない場合があった。
【０００５】
さらには集塵された塵埃を捨てる際、両手で操作する必要性があり、また集塵装置のハンドルを倒立した状態では掃除機本体に装着できないため、装着毎に集塵装置のハンドルの固定爪と掃除機本体の係合部を位置合わせしながらハンドルを収納しなければならず、非常に取り扱いが面倒である、といった課題があった。
【０００６】
本発明は、このような従来の課題を解決するためになされたものであり、掃除機本体を小型化すると共に、集塵装置を掃除機本体へ容易に装着させることができる電気掃除機を提供することを目的としている。
【課題を解決するための手段】
【０００７】
上記従来の課題を解決するために本発明の電気掃除機は、掃除機本体に着脱自在に装着されると共に空気流入口と空気流出口を有する集塵装置を備え、前記集塵装置は、天面に回動自在に軸支されたハンドルと、底面に開口部を有するダストボックスと、前記ダストボックスにヒンジで回動自在に支持されると共に前記開口部を開閉する蓋と、前記ハンドルの後方に設けられ前記蓋を開錠させる押し釦と、前記ハンドルを倒立位置に付勢する第１の付勢手段と、前記ハンドルの回動軸より掃除機本体側に設けられ、前記集塵装置が前記掃除機本体に装着され前記ハンドルを収納した状態で前記掃除機本体に設けた係合部と嵌合する係止部と、前記ハンドルを倒立させた状態では前記係止部に当接して倒立状態を保持するハンドル倒立保持手段とを備え、前記集塵装置を前記掃除機本体の装着位置に装着するとき、前記ハンドル倒立保持手段は前記掃除機本体の一部に当接することによって前記集塵装置内に収納されて前記ハンドルの回動を可能にし、前記ハンドル倒立保持手段
は第２の付勢手段により前記集塵装置から突出して前記ハンドルの前記係止部に当接するように付勢されるもので、集塵装置のハンドルを倒立させた状態で、空気流入口および空気流出口を掃除機本体の対向する通路に密着する装着位置に正対したときに、ハンドルの倒立状態が解除されて回動させることができ、ハンドルの係止部を掃除機本体の係合部に嵌合させて、容易に掃除機本体に装着させることができる。
【０００８】
また、集塵装置を掃除機本体から取り外したときには、ハンドルは第１の付勢手段によって倒立し、さらに、再び掃除機本体の装着位置に正対するときまでハンドル倒立保持手段によってハンドルの倒立状態は保持されるため、確実に集塵装置は掃除機本体に装着することができるものである。
【発明の効果】
【０００９】
本発明の電気掃除機は、集塵装置を掃除機本体へ容易にかつ確実に集塵性能を発揮させる状態に装着させることができる。
【図面の簡単な説明】
【００１０】
【図１】本発明の実施の形態１における電気掃除機の全体外観図
【図２】同電気掃除機の掃除機本体の全体外観図
【図３】同掃除機本体の全体上面図
【図４】同掃除機本体の縦断面図
【図５】同掃除機本体に装着される集塵装置の縦断面図
【図６】同集塵装置のハンドル分解斜視図
【図７】同掃除機本体のハンドル部分断面図
【図８】同集塵装置の全体斜め後方外観図
【図９】同集塵装置の全体斜め後方外観図
【図１０】同集塵装置のハンドル倒立状態の全体斜め後方外観図
【図１１】同掃除機本体の集塵装置を取り外した全体外観図
【図１２】同掃除機本体の斜め後方から見た外観図
【図１３】図１２のＡ部拡大図
【発明を実施するための形態】
【００１１】
第１の発明は、掃除機本体に着脱自在に装着されると共に空気流入口と空気流出口を有する集塵装置を備え、前記集塵装置は、天面に回動自在に軸支されたハンドルと、底面に開口部を有するダストボックスと、前記ダストボックスにヒンジで回動自在に支持されると共に前記開口部を開閉する蓋と、前記ハンドルの後方に設けられ前記蓋を開錠させる押し釦と、前記ハンドルを倒立位置に付勢する第１の付勢手段と、前記ハンドルの回動軸より掃除機本体側に設けられ、前記集塵装置が前記掃除機本体に装着され前記ハンドルを収納した状態で前記掃除機本体に設けた係合部と嵌合する係止部と、前記ハンドルを倒立させた状態では前記係止部に当接して倒立状態を保持するハンドル倒立保持手段とを備え、前記集塵装置を前記掃除機本体の装着位置に装着するとき、前記ハンドル倒立保持手段は前記掃除機本体の一部に当接することによって前記集塵装置内に収納されて前記ハンドルの回動を可能にし、前記ハンドル倒立保持手段は第２の付勢手段により前記集塵装置から突出して前記ハンドルの前記係止部に当接するように付勢されるもので、集塵装置のハンドルを倒立させた状態で、空気流入口および空気流出口を掃除機本体の対向する通路に密着する装着位置に正対したときに、ハンドルの倒立状態が解除されて回動させることができ、ハンドルの係止部を掃除機本体の係合部に嵌合させて、容易に掃除機本体に装着させることができる。
【００１２】
また、集塵装置を掃除機本体から取り外したときには、ハンドルは第１の付勢手段によって倒立し、さらに、再び掃除機本体の装着位置に正対するときまでハンドル倒立保持手
段によってハンドルの倒立状態は保持されるため、確実に集塵装置は掃除機本体に装着することができるものである。
【００１３】
第２の発明は、特に、第１の発明の集塵装置の天面前方に、第３の付勢手段でハンドルを保持固定する尾錠を設け、前記尾錠を開錠することによって前記ハンドルを倒立させるもので、尾錠を開錠させることによりハンドルが自然に倒立状態となるため、容易に掃除機本体から集塵装置を取り出すことができる。
【００１４】
第３の発明は、特に、第１又は第２の発明のハンドルの端部に掃除機本体と保持固定させる爪を設け、前記ハンドルを傾けた状態で前記掃除機本体に装着させた時、前記ハンドルが収納状態から倒立状態に回動して、前記爪が前記掃除機本体の所定の係合部以外で嵌合させないもので、集塵装置のハンドル端部の固定爪を掃除機本体の係合部へ位置合わせすることなく、掃除機本体への装着ができる。
【００１５】
第４の発明は、特に、第１〜３のいずれかひとつの発明のハンドルの端部に設けた係止部が嵌合する係合部を、掃除機本体運搬用の本体ハンドルに設けたもので、掃除機本体の高さを低減でき小型化させることができる。
【００１６】
第５の発明は、特に、第１〜４のいずれかひとつの発明の集塵装置の空気流入口と空気流出口を掃除機本体の対向する通路に密着接続する状態としたとき、集塵装置が略４５°傾いて前記掃除機本体に装着されるもので、さらに本体を小型化できるとともに、集塵装置が掃除機本体側へ重力によって倒れ込む挙動によって集塵装置の空気流の入口と出口を掃除機本体の対向する通路に密着する位置に誘導して装着され、掃除機本体のへの装着性も向上でき、さらに確実な集塵性能を発揮させることができる。
【００１７】
以下、本発明の実施の形態について、図面を参照しながら説明する。なお、この実施の形態によってこの発明が限定されるものではない。
【００１８】
（実施の形態１）
本発明の実施の形態１における電気掃除機について、図１〜１３を用いて説明する。
【００１９】
図１は、本実施の形態における電気掃除機の全体外観図、図２は、同電気掃除機の掃除機本体の全体外観図、図３は、同掃除機本体の全体上面図、図４は、同掃除機本体の縦断面図、図５は、同掃除機本体に装着される集塵装置の縦断面図、図６は、同集塵装置のハンドル分解斜視図、図７は、同掃除機本体のハンドル部分断面図である。
【００２０】
図１〜７において、本実施の形態における電気掃除機の掃除機本体１には、後部に電動送風機２を内蔵した電動送風機室９と、電源コード巻取り装置（図示せず）が配され、前部に、着脱自在で塵埃を分離捕集する集塵装置３を収納する集塵装置収納部４が配され、後方下部の両側に１対の走行用の車輪５が回転自在に取着され、底面前部には、同じく走行用のキャスター６が取着されている。掃除機本体１の前部には、ホース７の一端に設けた接続パイプ８が着脱自在に接続される吸気口１０が設けられている。
【００２１】
ホース７の他端には、掃除の際に握る把手１１を備えた先端パイプ１２が設けられている。伸縮自在或いは継ぎ自在の延長管１３の下流側端部は、前記先端パイプ１２に着脱自在に接続され、他端は、塵埃掻き揚げ用の回転ブラシ（図示せず）と、その回転ブラシ（図示せず）を回転駆動するモータ（図示せず）を内蔵した吸い込み具１４に着脱自在に接続される。
【００２２】
集塵装置３のカバー１６には、係止部となる第１の爪１８を端部に備えたハンドル１７
が回動自在に設けられ、この第１の爪１８は、ハンドル１７の回動軸２９ａより掃除機本体１側に設けられている。
【００２３】
掃除機本体１の上部には、掃除機本体１を持ち運ぶ際に使用する本体ハンドル１５が取り付けられており、その本体ハンドル１５には、ハンドル１７の第１の爪１８と係合させるための係合部となる凹部１５ａが設けられている。カバー１６には、ハンドル１７の収納状態で保持固定させる第２の爪２６ａが設けられている。
【００２４】
図５に示す集塵装置３は、構成部品を大きく分けると、外郭はダストボックス１９と、ダストボックス１９の上面を塞ぐように構成されたカバー１６と、カバー１６に軸支された回転可能なハンドル１７と、ダストボックス１９の下面に設けた開口部３５を塞ぐように設けられた蓋２０とから構成される。
【００２５】
図６に示すようにハンドル１７は、ハンドル上２８と、ハンドル下２９の２部品から構成され、ハンドル下２９の回動軸２９ａには、ハンドル１７を倒立位置に付勢する第１の付勢手段として第１のバネ３０及び第２のバネ３１の一端が固定されており、ハンドル上２８で覆われている。ハンドル１７は、カバー１６のリブ３２に第１のバネ３０及び第２のバネ３１の他端を引っ掛けるようにして、回動軸２９ａがカバー１６の穴３３に回転可能に保持固定されている。
【００２６】
カバー１６の前方に配した尾錠２６内部に第３の付勢手段である第３のバネ２７が設けられ、尾錠２６が摺動自在に固定されている。ハンドル１７の溝１７ａと尾錠２６上方の第２の爪２６ａが係合されると、ハンドル１７が保持固定され、尾錠２６を押すと第２の爪２６ａが溝１７ａから外れることにより、第１のバネ３０及び第２のバネ３１の付勢力でハンドル１７を倒立させることができる。
【００２７】
蓋２０はヒンジ部２１によってダストボックス１９に取り付けられており、蓋２０に取り付けられたパッキン２２によって蓋２０がダストボックス１９とエアータイトされる。図５に示すように蓋２０はビジョウ２３が回動することで開閉できる構成となっており、押し釦２４を押すとスライダー２５が下がることでビジョウ２３が開き蓋２０が開放され、集塵された塵埃を排出させることができる。
【００２８】
図７に示すように、集塵装置３を掃除機本体１に装着させて、ハンドル１７を収納状態に回動させると、ハンドル１７の第１の爪１８が本体ハンドル１５の凹部１５ａと嵌合して確実に固定される。これによって、図８の集塵装置３および図１１の掃除機本体１に示す、集塵装置３の空気流入口６０と空気流出口６１が掃除機本体１の空気流出口６２と空気吸引口６３と密着し、電動送風機の２の吸引性能が集塵装置３を通過して吸い込み具１４へと伝えることができる。
【００２９】
なお、本実施の形態では、集塵装置３を略４５°傾けて掃除機本体１に装着させる構成としているため、本体を小型化でき、掃除機本体１への装着性が向上する。
【００３０】
図８、図９、図１０に示すように、ハンドル１７の回動軸２９ａの近傍に、ハンドル１７を倒立させたときに第１の爪１８の上方で、第１の爪１８の方向へ突出し、ハンドル１７を倒立位置から収納方向へ回動させることを妨げるハンドル倒立保持手段として固定体５０がカバー１６の内部側から第２の付勢手段である第４のバネ５１によって付勢されている。図８の状態から、ハンドル１７を倒立させる場合には、固定体５０の上側面に形成した傾斜面５０ａをハンドル１７の第１の爪１８の内面が押し込むことによって、倒立させることができる。
【００３１】
集塵装置３を掃除機本体１に装着する前にハンドル１７を収納状態にすると、ハンドル１７の第１の爪１８が本体ハンドル１５の凹部１５ａに嵌合せず、集塵装置３の空気流入口６０と空気流出口６１が掃除機本体１の空気流出口６２と空気吸引口６３と密着させることができず、電動送風機の２の吸引性能が集塵装置３を通過して吸い込み具１４へと伝えることができなくなってしまうが、集塵装置３を掃除機本体１から取り外すと、ハンドル１７は、回動軸２９ａにそれぞれ一端が固定された第１のバネ３０及び第２のバネ３１によって倒立状態となり、固定体５０によって収納状態にすることができなくなる。
【００３２】
次に集塵装置３を掃除機本体１に装着するとき、固定体５０は本体ハンドル１５の内側面に接触してカバー１６の内方向へ押し込まれ、ハンドル１７の第１の爪１８に干渉せず、ハンドル１７を収納状態に回動させることができる。これによって、集塵装置３の空気流入口６０と空気流出口６１が掃除機本体１の空気流出口６２と空気吸引口６３と確実に密着させることができ、電動送風機の２の吸引性能が集塵装置３を通過して吸い込み具１４へと伝えることができる。さらに使用者が掃除機本体１からの集塵装置３の取り外し、装着する操作に不慣れであっても、確実に掃除機本体１に集塵装置３を装着することができ、電気掃除機としての集塵性能を確保させることができるものである。
【産業上の利用可能性】
【００３３】
以上のように、本発明に係る電気掃除機は、集塵装置のハンドルを倒立させた状態で、掃除機本体に集塵装置を装着させることができるので、家庭用や業務用の電気掃除機等に適用できる。
【符号の説明】
【００３４】
１  掃除機本体
２  電動送風機
３  集塵装置
４  集塵装置収納部
５  車輪
１５  本体ハンドル
１５ａ  凹部（係合部）
１６  カバー
１７  ハンドル
１７ａ  溝
１８  第１の爪（係止部）
１９  ダストボックス
２０  蓋
２４  押し釦
２６  尾錠
２６ａ  第２の爪
２７  第３のバネ（第３の付勢手段）
２９  ハンドル下
２９ａ  回動軸
３０  第１のバネ（第１の付勢手段）
３１  第２のバネ（第１の付勢手段）
３３  穴
３５  開口部
５０  固定体（ハンドル倒立保持手段）
５１  第４のバネ（第２の付勢手段）
【図１】
2014064737.tif 000003
【図２】
2014064737.tif 000004
【図３】
2014064737.tif 000005
【図４】
2014064737.tif 000006
【図５】
2014064737.tif 000007
【図６】
2014064737.tif 000008
【図７】
2014064737.tif 000009
【図８】
2014064737.tif 000010
【図９】
2014064737.tif 000011
【図１０】
2014064737.tif 000012
【図１１】
2014064737.tif 000013
【図１２】
2014064737.tif 000014
【図１３】
2014064737.tif 000015